(57)【要約】【課題】所望の操作モードを選択決定する操作が煩雑になるのを抑制することが可能な入力装置を提供する。【解決手段】このリモートコントローラ（入力装置）１００は、筐体１と、筐体１に設けられるとともに、ユーザにより筐体１が把持された際に、ユーザの指の筐体１との接触状態に基づいてユーザの筐体１の把持方向を検知する８つの接触検知センサ２ａ〜２ｈと、８つの接触検知センサ２ａ〜２ｈにより検知されたユーザの筐体１の把持方向に対応する操作モードを設定する制御部７と、制御部７により設定された操作モードの操作モード画面３ａ〜３ｄを表示する液晶表示部３と、液晶表示部３と平面的に見て重なるように配置されるとともに、液晶表示部３に表示される操作モード画面３ａ〜３ｄにおいてユーザによる入力操作を受け付けるタッチパネル部４とを備える。【選択図】図２
2012064074.tif 000002
【特許請求の範囲】
【請求項１】
筐体と、
前記筐体に設けられるとともに、ユーザにより前記筐体が把持された際に、ユーザの指の前記筐体との接触状態に基づいてユーザの前記筐体の把持方向を検知する複数の接触検知センサと、
前記複数の接触検知センサにより検知されたユーザの前記筐体の把持方向に対応する操作モードを設定する制御部と、
前記制御部により設定された前記操作モードの操作モード画面を表示する表示部と、
前記表示部と平面的に見て重なるように配置されるとともに、前記表示部に表示される前記操作モード画面においてユーザによる入力操作を受け付ける入力受付部とを備える、入力装置。
【請求項２】
前記入力受付部は、前記表示部に表示される前記操作モード画面においてユーザによる入力操作を電気的に受け付けるタッチパネル部または機械的に受け付ける多方向スイッチ部を含む、請求項１に記載の入力装置。
【請求項３】
前記筐体の外側面にユーザにより識別可能な形状に形成され、ユーザが前記筐体の把持方向を確認可能な把持方向確認部をさらに備える、請求項１または２に記載の入力装置。
【請求項４】
前記表示部には、ユーザが前記筐体の把持方向を確認可能な把持方向確認用表示が表示されるように構成されている、請求項１〜３のいずれか１項に記載の入力装置。
【請求項５】
前記表示部の中央部近傍に配置され、前記表示部に表示される前記操作モード画面においてユーザによる入力操作を受け付ける機械的なプッシュボタン部をさらに備える、請求項１〜４のいずれか１項に記載の入力装置。
【請求項６】
前記表示部は、液晶表示部、電子ペーパーまたは発光ダイオードのうち少なくとも１つを含む、請求項１〜５のいずれか１項に記載の入力装置。
【発明の詳細な説明】
【技術分野】
【０００１】
この発明は、入力装置に関し、特に、表示部を備える入力装置に関する。
【背景技術】
【０００２】
従来、表示部を備える入力装置が知られている（たとえば、特許文献１参照）。
【０００３】
上記特許文献１には、着信音量調整や着信音選択などの各種機能を選択するメニュー画面を表示する表示部と、回転操作可能なリング状のダイヤルと、ダイヤルの側面に設けられた複数のボタンとを備える携帯端末装置（入力装置）が開示されている。この携帯端末装置では、ユーザによりダイヤルが回転操作されることによって、メニュー画面に表示される各種操作モードから所望の操作モードが選択されるように構成されている。そして、所望の操作モードが選択された状態でダイヤルの側面に設けられたボタンがユーザにより押下操作されることによって、メニュー画面において選択された所望の操作モードが決定されるように構成されている。
【先行技術文献】
【特許文献】
【０００４】
【特許文献１】特開２００４−２８０５４２号公報
【発明の概要】
【発明が解決しようとする課題】
【０００５】
しかしながら、上記特許文献１に記載の携帯端末装置では、ダイヤルを回転操作した後に、ダイヤルの側面のボタンを押下操作するため、所望の操作モードを選択決定する操作が煩雑になるという問題点がある。
【０００６】
この発明は、上記のような課題を解決するためになされたものであり、この発明の１つの目的は、所望の操作モードを選択決定する操作が煩雑になるのを抑制することが可能な入力装置を提供することである。
【課題を解決するための手段および発明の効果】
【０００７】
この発明の一の局面による入力装置は、筐体と、筐体に設けられるとともに、ユーザにより筐体が把持された際に、ユーザの指の筐体との接触状態に基づいてユーザの筐体の把持方向を検知する複数の接触検知センサと、複数の接触検知センサにより検知されたユーザの筐体の把持方向に対応する操作モードを設定する制御部と、制御部により設定された操作モードの操作モード画面を表示する表示部と、表示部と平面的に見て重なるように配置されるとともに、表示部に表示される操作モード画面においてユーザによる入力操作を受け付ける入力受付部とを備える。
【０００８】
この一の局面による入力装置では、上記のように、筐体に設けられるとともに、ユーザにより筐体が把持された際に、ユーザの指の筐体との接触状態に基づいてユーザの筐体の把持方向を検知する複数の接触検知センサと、複数の接触検知センサにより検知されたユーザの筐体の把持方向に対応する操作モードを設定する制御部と、制御部により設定された操作モードの操作モード画面を表示する表示部とを備えることによって、ユーザが筐体を把持するだけで把持方向に対応する操作モードが制御部により自動的に設定（選択決定）されるので、たとえば、ユーザが筐体を把持した状態で、装置本体に設けられたボタンなどを押下することによって、所望の操作モードを選択決定する場合と異なり、ボタンなどを押下しない分、所望の操作モードを設定（選択決定）する操作が煩雑になるのを抑制することができる。また、表示部と平面的に見て重なるように配置されるとともに、表示部に表示される操作モード画面においてユーザによる入力操作を受け付ける入力受付部を設けることによって、ユーザの操作モード画面の入力操作を検出することにより、容易に、ユーザの操作モード画面の入力操作を受け付けることができる。
【０００９】
上記一の局面による入力装置において、好ましくは、入力受付部は、表示部に表示される操作モード画面においてユーザによる入力操作を電気的に受け付けるタッチパネル部または機械的に受け付ける多方向スイッチ部を含む。このように構成すれば、入力受付部にタッチパネル部を用いた場合には、操作モード画面の入力操作が行われる際のユーザの指とタッチパネル部との間の電気的な変化（静電容量の大きさの変化など）を検出することにより、容易に、ユーザの操作モード画面の入力操作を受け付けることができる。また、入力受付部に多方向スイッチ部を用いた場合には、操作モード画面の入力操作が行われる際のユーザの多方向スイッチ部の押下操作を検出することにより、容易に、ユーザの操作モード画面の入力操作を受け付けることができる。
【００１０】
上記一の局面による入力装置において、好ましくは、筐体の外側面にユーザにより識別可能な形状に形成され、ユーザが筐体の把持方向を確認可能な把持方向確認部をさらに備える。このように構成すれば、ユーザが把持方向確認部に直接触れることにより、筐体を目視せずに筐体の把持方向を容易に認識することができる。
【００１１】
上記一の局面による入力装置において、好ましくは、表示部には、ユーザが筐体の把持方向を確認可能な把持方向確認用表示が表示されるように構成されている。このように構成すれば、ユーザが把持方向確認用表示を目視することにより、確実に、筐体の把持方向を認識することができる。
【００１２】
上記一の局面による入力装置において、好ましくは、表示部の中央部近傍に配置され、表示部に表示される操作モード画面においてユーザによる入力操作を受け付ける機械的なプッシュボタン部をさらに備える。このように構成すれば、ユーザによりプッシュボタン部が押下操作される際に、機械的な触感をユーザに付与することができるので、プッシュボタン部が押下操作されたことをユーザに対して容易に認識させることができる。
【００１３】
上記一の局面による入力装置において、好ましくは、表示部は、液晶表示部、電子ペーパーまたは発光ダイオードのうち少なくとも１つを含む。このように構成すれば、液晶表示部、電子ペーパーまたは発光ダイオードのうち少なくとも１つを用いて、ユーザの筐体の把持方向に対応する操作モード画面を容易に表示することができる。
【図面の簡単な説明】
【００１４】
【図１】本発明の一実施形態によるリモートコントローラの使用状態を示す模式図である。
【図２】本発明の一実施形態によるリモートコントローラをチャンネルザッピングモードで使用している状態を示した図である。
【図３】本発明の一実施形態によるリモートコントローラの構成を示したブロック図である。
【図４】本発明の一実施形態によるリモートコントローラをテレビモードで使用している状態を示した図である。
【図５】本発明の一実施形態によるリモートコントローラをビデオ操作モードで使用している状態を示した図である。
【図６】本発明の一実施形態によるリモートコントローラをカラーボタンモードで使用している状態を示した図である。
【図７】本発明の一実施形態によるリモートコントローラの使用時における制御部の制御動作を示すフローチャートである。
【図８】本発明の一実施形態によるリモートコントローラの第１変形例を示す図である。
【図９】本発明の一実施形態によるリモートコントローラの第２変形例を示す図である。
【発明を実施するための形態】
【００１５】
以下、本発明を具体化した実施形態を図面に基づいて説明する。
【００１６】
図１〜図６を参照して、本発明の一実施形態によるリモートコントローラ１００の構成を説明する。なお、リモートコントローラ１００は、本発明の「入力装置」の一例である。
【００１７】
本発明の一実施形態によるリモートコントローラ１００は、図１に示すように、ユーザが左手で把持した状態でリモートコントローラ１００の入力操作（押下操作）を行うことにより、テレビジョン装置２００のチャンネルや音量の変更またはビデオ機器３００の録画や再生などの操作が行えるように構成されている。
【００１８】
また、リモートコントローラ１００は、図２に示すように、真円形状を有する樹脂製の筐体１を備えている。この筐体１には、８つの接触検知センサ２ａ〜２ｈと、液晶表示部３と、液晶表示部３の上面側に平面的に見て液晶表示部３と重なるように配置されたタッチパネル部４と、液晶表示部３の中央部近傍に配置されたプッシュボタン部５とが設けられている。なお、タッチパネル部４は、本発明の「入力受付部」の一例である。また、筐体１の矢印Ｙ１方向側の外側面には、ユーザが直接触れることにより、リモートコントローラ１００（筐体１）の把持方向を認識（確認）可能な把持方向確認部６が形成されている。この把持方向確認部６は、樹脂からなるとともに、凸形状に形成されている。
【００１９】
また、８つの接触検知センサ２ａ〜２ｈは、筐体１の内側面に等角度間隔（４５°間隔）に設けられている。この８つの接触検知センサ２ａ〜２ｈは、静電容量式のセンサからなり、対向する電極間の静電容量の大きさの変化が検知されるように構成されている。
【００２０】
ここで、本実施形態では、８つの接触検知センサ２ａ〜２ｈは、ユーザによりリモートコントローラ１００が把持された際に、ユーザのリモートコントローラ１００の把持する位置に対応する接触検知センサ２ａ〜２ｈの各々の静電容量の大きさの変化が検知されることにより、静電容量の大きさの変化に基づいて筐体１の把持方向（矢印Ｘ１方向、矢印Ｘ２方向、矢印Ｙ１方向および矢印Ｙ２方向）が検知されるように構成されている。そして、後述する制御部７により、リモートコントローラ１００の把持方向に対応する４つの操作モード（チャンネルザッピングモード、テレビモード、ビデオ操作モードまたはカラーボタンモード）のうちの１つが自動的に設定されるように構成されている。そして、４つの操作モードの各々に対応する操作モード画面（チャンネルザッピングモード画面３ａ、テレビモード画面３ｂ、ビデオ操作モード画面３ｃまたはカラーボタンモード画面３ｄ）がリモートコントローラ１００の液晶表示部３に表示されるように構成されている。
【００２１】
また、図２に示すように、リモートコントローラ１００の把持方向確認部６が、矢印Ｙ１方向（テレビジョン装置２００方向側）に向くようにリモートコントローラ１００がユーザにより把持された場合では、８つの接触検知センサ２ａ〜２ｈのうち接触検知センサ２ｃ、２ｄおよび２ｆ〜２ｈの静電容量の大きさの変化が検知されて、４つの操作モードのうちのチャンネルザッピングモードとなる。このチャンネルザッピングモードでは、液晶表示部３に「１」〜「４」、「６」〜「８」および「１０」チャンネルに対応する数字を含むチャンネルザッピングモード画面３ａが表示されるように構成されている。なお、チャンネルザッピングモード画面３ａは、本発明の「操作モード画面」の一例である。
【００２２】
また、図４に示すように、リモートコントローラ１００の把持方向確認部６が、矢印Ｘ１方向側に向くようにリモートコントローラ１００がユーザにより把持された場合では、８つの接触検知センサ２ａ〜２ｈのうち接触検知センサ２ａ、２ｂおよび２ｄ〜２ｆの静電容量の大きさの変化が検知されて、４つの操作モードのうちのテレビモードとなる。このテレビモードでは、液晶表示部３に音量の調整を行うための上下方向の矢印と、テレビジョン装置２００の表示部に表示されている番組のチャンネルを変えるための左右方向の矢印とを含むテレビモード画面３ｂが表示されるように構成されている。なお、テレビモード画面３ｂは、本発明の「操作モード画面」の一例である。
【００２３】
また、図５に示すように、リモートコントローラ１００の把持方向確認部６が、矢印Ｙ２方向側に向くようにリモートコントローラ１００がユーザにより把持された場合では、８つの接触検知センサ２ａ〜２ｈのうち接触検知センサ２ｂ〜２ｄ、２ｇおよび２ｈの静電容量の大きさの変化が検知されて、４つの操作モードのうちのビデオ操作モードとなる。このビデオ操作モードでは、液晶表示部３にビデオ操作を行うための「再生」、「一時停止」、「早送り」および「巻戻し」の表示を含むビデオ操作モード画面３ｃが表示されるように構成されている。なお、ビデオ操作モード画面３ｃは、本発明の「操作モード画面」の一例である。
【００２４】
また、図６に示すように、リモートコントローラ１００の把持方向確認部６が、矢印Ｘ２方向側に向くようにリモートコントローラ１００がユーザにより把持された場合では、８つの接触検知センサ２ａ〜２ｈのうち接触検知センサ２ａ、２ｂ、２ｅ、２ｆおよび２ｈの静電容量の大きさの変化が検知されて、４つの操作モードのうちのカラーボタンモードとなる。このカラーボタンモードでは、液晶表示部３に「赤」、「青」、「黄」および「緑」の４つのカラーボタンを含むカラーボタンモード画面３ｄが表示されるように構成されている。なお、カラーボタンモード画面３ｄは、本発明の「操作モード画面」の一例である。
【００２５】
また、図２に示すタッチパネル部４は、静電容量式のパネルからなり、対向する電極にユーザの指が接触することにより、対向する電極間の静電容量の大きさの変化が検知されるように構成されている。つまり、液晶表示部３に表示される各操作モード画面３ａ〜３ｄにおいて、ユーザが各操作モード画面３ａ〜３ｄにタッチ（押下操作）することにより、入力操作を電気的に受け付けるように構成されている。たとえば、チャンネルザッピングモード画面３ａのチャンネル番号「１」がユーザにより押下操作された場合には、テレビジョン装置２００で放送されている番組を「１」チャンネルに変更する制御信号がリモートコントローラ１００の通信部８からテレビジョン装置２００の通信部２０１に送信されるように構成されている。
【００２６】
また、液晶表示部３の中央部近傍には、開口部３１が形成されており、プッシュボタン部５が、液晶表示部３の開口部３１を貫通するように配置されている。このプッシュボタン部５は、略円柱形状を有している。また、プッシュボタン部５は、機械的なボタン部からなるとともに、液晶表示部３に表示される各操作モード画面３ａ〜３ｄにおいてユーザによる入力操作（押下操作）を受け付けるように構成されている。なお、プッシュボタン部５は、ビデオ操作モード（図５参照）において、プッシュボタン部５が押下操作されることにより、ビデオが再生される機能を有している。そして、ユーザによりプッシュボタン部５が押下操作された際には、プッシュボタン部５が押下操作されたという機械的な触感がユーザに付与されるように構成されている。
【００２７】
また、リモートコントローラ１００は、図３に示すように、リモートコントローラ１００全体の制御を司る制御部７と、テレビジョン装置２００の通信部２０１およびビデオ機器３００の通信部３０１と通信を行う通信部８と、記憶部９とをさらに含んでいる。
【００２８】
通信部８は、テレビジョン装置２００の通信部２０１やビデオ機器３００の通信部３０１とＢｌｕｅｔｏｏｔｈ（登録商標）により通信が行われるように構成されている。また、記憶部９には、ユーザのリモートコントローラ１００の把持状態に対応する４つの操作モード（チャンネルザッピングモード、テレビモード、ビデオ操作モードおよびカラーボタンモード）および操作モード画面３ａ〜３ｄに関する情報が予め記憶されている。また、制御部７は、接触検知センサ２ａ〜２ｈにより検知されたユーザのリモートコントローラ１００の把持状態に基づいて、記憶部９に記憶されている４つの操作モードのうちの１つの操作モード画面を液晶表示部３に表示させるように構成されている。
【００２９】
次に、図２および図７を参照して、リモートコントローラ１００を使用する際の制御部７の制御動作について説明する。
【００３０】
まず、ステップＳ１において、リモートコントローラ１００の接触検知センサ２ａ〜２ｈの検出結果に基づいて、ユーザによりリモートコントローラ１００が把持されたか否かが判断される。そして、ステップＳ１において、ユーザによりリモートコントローラ１００が把持されていないと判断された場合には、この判断が繰り返される。また、ステップＳ１において、ユーザによりリモートコントローラ１００が把持されたと判断された場合には、ステップＳ２に進む。
【００３１】
次に、ステップＳ２において、ユーザのリモートコントローラ１００の把持状態に応じた操作モード画面が液晶表示部３に表示される。たとえば、図２に示すように、把持方向確認部６が矢印Ｙ１方向側に向くようにリモートコントローラ１００がユーザにより把持された場合には、接触検知センサ２ａ、２ｃ、２ｄおよび２ｆ〜２ｈがユーザの指と接触していることが検知される。そして、接触検知センサ２ａ、２ｃ、２ｄおよび２ｆ〜２ｈの検知結果から、リモートコントローラ１００の把持方向確認部６が矢印Ｙ１方向側に向くように把持されていると判断され、チャンネルザッピングモードに設定される。そして、チャンネルザッピングモード画面３ａが液晶表示部３に表示される。その後、ステップＳ３に進む。
【００３２】
次に、図７に示すように、ステップＳ３において、ユーザにより液晶表示部３に表示されたチャンネルザッピングモード画面３ａにおいて、タッチパネル部４の入力操作（押下操作）が行われたか否かが判断される。そして、ステップＳ３において、タッチパネル部４の入力操作（押下操作）が行われるまでこの判断が繰り返される。また、ステップＳ３において、タッチパネル部４の入力操作（押下操作）が行われたと判断された場合には、ステップＳ４に進む。
【００３３】
次に、ステップＳ４において、タッチパネル部４のユーザによる操作内容に応じた制御信号がテレビジョン装置２００に送信される。たとえば、図２に示すように、チャンネルザッピングモード画面３ａのチャンネル番号「１」がユーザにより押下操作された場合には、テレビジョン装置２００で放送されている番組を「１」チャンネルに変更する制御信号がテレビジョン装置２００の通信部２０１に送信される。
【００３４】
本実施形態では、上記のように、筐体１に設けられるとともに、ユーザによりリモートコントローラ１００が把持された際に、ユーザの指の筐体１との接触状態に基づいてユーザのリモートコントローラ１００の把持方向（矢印Ｙ１方向、矢印Ｙ２方向、矢印Ｘ１方向および矢印Ｘ２方向）を検知する８つの接触検知センサ２ａ〜２ｈと、８つの接触検知センサ２ａ〜２ｈにより検知されたユーザのリモートコントローラ１００の把持方向に対応する４つの操作モード（チャンネルザッピングモード、テレビモード、ビデオ操作モードおよびカラーボタンモード）のうちの１つを設定する制御部７と、制御部７により設定された操作モードの操作モード画面３ａ〜３ｄを表示する液晶表示部３とを設ける。これにより、ユーザがリモートコントローラ１００を把持するだけで把持方向に対応する操作モードが制御部７により自動的に設定（選択決定）されるので、たとえば、ユーザがリモートコントローラ１００を把持した状態で、装置本体に設けられたボタンなどを押下することによって、所望の操作モードを選択決定する場合と異なり、ボタンなどを押下しない分、所望の操作モードを設定（選択決定）する操作が煩雑になるのを抑制することができる。また、液晶表示部３と平面的に見て重なるように配置されるとともに、液晶表示部３に表示される操作モード画面３ａ〜３ｄにおいてユーザによる入力操作を受け付けるタッチパネル部４を設けることによって、ユーザの操作モード画面３ａ〜３ｄの入力操作を検出することにより、容易に、ユーザの操作モード画面３ａ〜３ｄの入力操作を受け付けることができる。
【００３５】
また、本実施形態では、上記のように、液晶表示部３に表示される操作モード画面３ａ〜３ｄにおいてユーザによる入力操作を電気的に受け付けるようにタッチパネル部４を構成することによって、操作モード画面３ａ〜３ｄの入力操作が行われる際のユーザの指とタッチパネル部４との間の静電容量の大きさの変化を検出することにより、容易に、ユーザの操作モード画面３ａ〜３ｄの入力操作を受け付けることができる。
【００３６】
また、本実施形態では、上記のように、筐体１の外側面にユーザにより識別可能な形状に形成され、ユーザがリモートコントローラ１００の把持方向を確認可能な把持方向確認部６を設けることによって、ユーザが把持方向確認部６に直接触れることにより、リモートコントローラ１００の液晶表示部３を目視せずにリモートコントローラ１００の把持方向を容易に認識することができる。
【００３７】
また、本実施形態では、上記のように、液晶表示部３の中央部近傍に配置され、液晶表示部３に表示される操作モード画面３ａ〜３ｄにおいてユーザによる入力操作を受け付ける機械的なプッシュボタン部５を設けることによって、ユーザによりプッシュボタン部５が押下操作される際に、機械的な触感をユーザに付与することができるので、プッシュボタン部５が押下操作されたことをユーザに対して容易に認識させることができる。
【００３８】
また、本実施形態では、上記のように、本発明の表示部は、液晶表示部３を含むことによって、液晶表示部３を用いて、ユーザのリモートコントローラ１００の把持方向に対応する操作モード画面３ａ〜３ｄを容易に表示することができる。
【００３９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００４０】
たとえば、上記実施形態では、本発明の入力装置の一例としてリモートコントローラを示したが、本発明はこれに限られない。たとえば、テレビジョン装置やビデオ機器に制御信号を送信することが可能であれば、リモートコントローラ以外の入力装置でもよい。
【００４１】
また、上記実施形態では、筐体の内側面に８つの接触検知センサを設ける例を示したが、本発明はこれに限られない。たとえば、ユーザのリモートコントローラの接触状態（把持状態）が検知可能であれば、筐体の内側面に８つ以外の数の接触検知センサを設けてもよい。
【００４２】
また、上記実施形態では、静電容量式の接触検知センサを用いる例を示したが、本発明はこれに限られない。たとえば、ユーザのリモートコントローラの接触状態が検知可能であれば、静電容量式以外の接触検知センサでもよい。
【００４３】
また、上記実施形態では、筐体の内側面に接触検知センサを設ける例を示したが、本発明はこれに限られない。たとえば、ユーザのリモートコントローラの接触状態が検知可能であれば、筐体の外側面に接触検知センサを設けてもよい。
【００４４】
また、上記実施形態では、真円形状を有するリモートコントローラを示したが、本発明はこれに限られない。たとえば、リモートコントローラが真円形状以外に楕円形状や多角形形状を有してもよい。
【００４５】
また、上記実施形態では、本発明の表示部の一例として、液晶表示部を示したが、本発明はこれに限られない。たとえば、リモートコントローラの各操作モード画面が表示可能であれば、液晶表示部以外に電子ペーパーや発光ダイオード、有機ＥＬ装置などでも適用可能である。
【００４６】
また、上記実施形態では、本発明の入力受付部の一例として、静電容量式のタッチパネルを用いる例を示したが、本発明はこれに限られない。たとえば、対向する電極間の抵抗値の大きさの変化を検知する抵抗膜式のタッチパネルを用いてもよい。
【００４７】
また、上記実施形態では、本発明の入力受付部の一例として、タッチパネル部を用いる例を示したが、本発明はこれに限られない。たとえば、タッチパネル部の代わりに、プッシュボタン部を中心として放射状に８方向に押下操作可能な機械的な８方向スイッチ部や４方向に押下操作可能な４方向スイッチ部を用いてもよい。この場合、８方向スイッチ部または４方向スイッチ部のユーザによる押下操作を検出することにより、容易に、ユーザの操作モード画面３ａ〜３ｄの入力操作を受け付けることが可能である。なお、８方向スイッチ部および４方向スイッチ部は、本発明の「多方向スイッチ部」の一例である。
【００４８】
また、上記実施形態では、本発明の把持方向確認部の一例として、リモートコントローラの筐体から外側に突出する凸部を設ける例を示したが、本発明はこれに限られない。たとえば、ユーザがリモートコントローラの把持方向を確認可能であれば、リモートコントローラの筐体の内側方向に陥没する凹部を設けてもよい。
【００４９】
また、上記実施形態では、本発明の把持方向確認部を樹脂により形成する例を示したが、本発明はこれに限られない。たとえば、ユーザがリモートコントローラの把持方向を確認可能であれば、把持方向確認部を樹脂以外の材料により形成してもよい。
【００５０】
また、上記実施形態では、ユーザがリモートコントローラの把持方向を確認可能にするために筐体に把持方向確認部を設ける例を示したが、本発明はこれに限られない。たとえば、図８に示す第１変形例のように、リモートコントローラの液晶表示部にユーザがリモートコントローラの把持方向を確認可能な把持方向確認用表示１０が表示されるように構成してもよい。また、図９に示す第２変形例のように、リモートコントローラの液晶表示部に把持方向確認用表示１０が表示されるとともに、筐体の外側面に把持方向確認部６を設けてもよい。このように、液晶表示部３にユーザがリモートコントローラの把持方向を確認可能な把持方向確認用表示１０を表示することによって、ユーザが把持方向確認用表示１０を目視することにより、確実に、リモートコントローラの把持方向を認識することが可能である。
【００５１】
また、上記実施形態では、リモートコントローラ１００の把持方向に対応する操作モードの一例として、４つの操作モード（チャンネルザッピングモード、テレビモード、ビデオ操作モードおよびカラーボタンモード）を示したが、本発明はこれに限られない。たとえば、１つ以上３つ以下または５つ以上の操作モードを有してもよい。
【００５２】
また、上記実施形態では、プッシュボタン部がビデオ操作モードにおいてビデオを再生する機能を有する例を示したが、本発明はこれに限られない。たとえば、各操作モードにおいてユーザがタッチパネル部を押下操作して操作内容を選択した後に、ユーザがプッシュボタン部を押下操作することにより、操作内容を決定するようにしてもよい。
【００５３】
また、上記実施形態では、リモートコントローラにプッシュボタン部を設ける例を示したが、本発明はこれに限られない。本発明では、リモートコントローラにプッシュボタン部を設けなくてもよい。
【符号の説明】
【００５４】
１  筐体
２ａ〜２ｈ  接触検知センサ
３  液晶表示部（表示部）
３ａ  チャンネルザッピングモード画面（操作モード画面）
３ｂ  テレビモード画面（操作モード画面）
３ｃ  ビデオ操作モード画面（操作モード画面）
３ｄ  カラーボタンモード画面（操作モード画面）
４  タッチパネル部（入力受付部）
５  プッシュボタン部
６  把持方向確認部
１０  把持方向確認用表示
１００  リモートコントローラ（入力装置）
【図１】
2012064074.tif 000003
【図２】
2012064074.tif 000004
【図３】
2012064074.tif 000005
【図４】
2012064074.tif 000006
【図５】
2012064074.tif 000007
【図６】
2012064074.tif 000008
【図７】
2012064074.tif 000009
【図８】
2012064074.tif 000010
【図９】
2012064074.tif 000011